(57)【特許請求の範囲】
【請求項１】
一方の面側に電子基盤が位置すると共に他方の面側に樹脂系成型物が位置して、前記電子基盤と前記樹脂系成型物との間を仕切るように前記樹脂系成型物に取り付けられ、
全体を１００質量％として、
含水ケイ酸マグネシウムを７５質量％以上８５質量％以下、
パルプを７質量％以上１２質量％以下、
アルミナ硼珪酸ガラス繊維を２質量％以上１０質量％以下、
バインダーを３質量％以上８質量％以下、
の範囲でそれぞれ含有し、
坪量は１００ｇ／ｍ２以上４００ｇ／ｍ２以下であり、
厚みは０．１ｍｍ以上０．６ｍｍ以下であり、
熱伝導率は０．１Ｗ／ｍ・Ｋ以下である
ことを特徴とする延焼防止材。
【請求項２】
難燃性について、ＵＬ９４規格のＶ−０性能を有する
ことを特徴とする請求項１に記載の延焼防止材。
【請求項３】
請求項１又は請求項２に記載の延焼防止材と、
前記延焼防止材の一方の面側に位置する電子基盤と、
前記延焼防止材の他方の面側に位置する樹脂系成型物と、
を備えることを特徴とする電子機器。
【発明の詳細な説明】
【技術分野】
【０００１】
本発明は、延焼防止材及び電子機器に関する。
【背景技術】
【０００２】
近年、洗濯機、掃除機等の一般家電や、温水による洗浄機能を備えたトイレ（以下、温水洗浄トイレ）、インテリアやエクステリアに使われる照明器具等の機器には様々な機能が付いている。そのため、これらの機器内には、その機能を制御、実行するための電子基盤が内蔵されている場合が多い。例えば、特許文献１には、本体内に温水タンクと制御用プリント基板とが設けられ、温水タンクと制御用プリント基板との間に断熱材が配設されたトイレ装置が開示されている（例えば、特許文献１参照）。
【先行技術文献】
【特許文献】
【０００３】
【特許文献１】特開２００６−３３６３０１号公報
【発明の概要】
【発明が解決しようとする課題】
【０００４】
ところで、電子基盤は経時劣化により意図せず発熱する可能性がある。そこで、特に、洗濯機や温水洗浄トイレ、エクステリア用の照明器具など、耐水性と耐久性とが要求される電子機器では、電子基盤が経時劣化により発熱した場合でも、その発熱により周囲の樹脂系成型物が溶融したり、発火したりすることを防ぐために、電子基盤と樹脂形成物との間を不燃材で遮る等の対策を講じることが増えてきている。この用途の不燃材として、従来は、金属や無機材料からなる不燃板が使われてきた。
【０００５】
しかしながら、最近は、温水洗浄トイレ等の外装部をスタイリッシュな形状にするために、外装部を複雑な形状の樹脂系成型物で構成することが多い。これに伴い、不燃板を複雑な形状に貼り付けたり、不燃板を複雑な形状に加工したりすることが増えつつある。
【０００６】
ここで、従来の金属や無機材料からなる不燃板は折り曲げにくく、複雑な形状に追従しにくいため、これを複雑な形状に貼り付けることは容易ではないという課題がある。また、従来の不燃板は、切削や穴あけ加工の際に特殊な成型機や刃物を選定する必要があるため、これを複雑な形状に加工することも容易ではないという課題がある。
【０００７】
そこで、本発明は、このような事情に鑑みてなされたものであって、折り曲げ易く、加工性に優れた延焼防止材及び、これを用いた電子機器を提供することを目的とする。
【課題を解決するための手段】
【０００８】
上記課題を解決するために、本発明の一態様に係る延焼防止材（以下、「延焼防止材」という。）は、一方の面側に電子基盤が位置すると共に他方の面側に樹脂系成型物が位置して、前記電子基盤と前記樹脂系成型物との間を仕切るように前記樹脂系成型物に取り付けられ、全体を１００質量％として、含水ケイ酸マグネシウムを７５質量％以上８５質量％以下、パルプを７質量％以上１２質量％以下、アルミナ硼珪酸ガラス繊維を２質量％以上１０質量％以下、バインダーを３質量％以上８質量％以下、の範囲でそれぞれ含有し、坪量は１００ｇ／ｍ２以上４００ｇ／ｍ２以下であり、厚みは０．１ｍｍ以上０．６ｍｍ以下であり、熱伝導率は０．１Ｗ／ｍ・Ｋ以下であることを特徴とする。
【０００９】
本発明の別の態様に係る電子機器は、上記の延焼防止材と、延焼防止材の一方の面側に位置する電子基盤と、延焼防止材の他方の面側に位置する樹脂系成型物と、を備えることを特徴とする。
【発明の効果】
【００１０】
本発明の一態様によれば、折り曲げ易く、加工性に優れた延焼防止材及び、これを用いた電子機器を提供することができる。
【図面の簡単な説明】
【００１１】
【図１】本発明の実施形態に係る延焼防止材の構成例を示す断面図である。
【図２】本発明の実施形態に係る温水洗浄トイレ１０の構成例を模式的に示す斜視図である。
【図３】タンク装置１５の内側を模式的に示す平面図である。
【図４】本発明の実施形態に係る温水洗浄トイレ２０の構成例を模式的に示す斜視図である。
【発明を実施するための形態】
【００１２】
以下、本発明の実施形態を図面を用いて説明する。なお、以下に説明する各図において相互に対応する部分には同一符号を付し、同一符号を付した部分について繰り返しの説明を適宜省略する。また、本発明の実施形態は、本発明の技術的思想を具体化するための構成を例示するものであって、各部の材質、形状、構造、配置、寸法等を下記のものに特定するものでない。本発明の技術的思想は、特許請求の範囲に記載された請求項が規定する技術的範囲内において、種々の変更を加えることができる。
【００１３】
＜構成＞
図１は、本発明の実施形態に係る延焼防止材の構成例を示す断面図である。図１に示す延焼防止材は、全体を１００質量％として、含水ケイ酸マグネシウムを７５質量％以上８５質量％以下、パルプを７質量％以上１２質量％以下、ガラス繊維を２質量％以上１０質量％以下、バインダーを３質量％以上８質量％以下、の範囲でそれぞれ含有する。この延焼防止材の坪量は１００ｇ／ｍ２以上４００ｇ／ｍ２以下である。また、この延焼防止材の熱伝導率は０．１Ｗ／ｍ・Ｋ以下である。
【００１４】
延焼防止材は、例えば、以下の材料をそれぞれ記載した範囲で含み、全体で１００質量％となっている。
・含水ケイ酸マグネシウム…７５〜８５質量％
・パルプ…９〜１１質量％
・アルミナ硼珪酸ガラス…４〜６質量％
・アクリル樹脂…２〜４質量％
・エポキシ樹脂…１〜３質量％
【００１５】
また、延焼防止材の厚さをｔとしたとき、ｔは０．１ｍｍ以上０．６ｍｍ以下であり、一例を挙げるとｔ＝０．３１ｍｍである。
次に、図１に示した延焼防止材を用いた電子機器として、タンク一体型の温水洗浄トイレと、タンクレス型の温水洗浄トイレとを例示する。
【００１６】
（１）タンク一体型の温水洗浄トイレ
図２は本発明の実施形態に係るタンク一体型の温水洗浄トイレ１０の構成例を模式的に示す斜視図である。図２に示すように、この温水洗浄トイレ１０は、便器１１と、便器１１の上側に取り付けられた便座装置１３と、便器１１や便座装置１３に水等を供給するタンク装置１５と、を備える。
【００１７】
便座装置１３は、図示しない便座と、この便座を覆う便座カバー１３１と、便座と便座カバー１３１とを回動可能に軸支する装置本体１３３と、を有する。装置本体１３３には、便座の内側から上方（例えば、使用者の着座位置）に向けて温水を噴射可能な噴射ノズルが内蔵されている。
【００１８】
また、タンク装置１５は、便座装置１３の後方に配置されている。このタンク装置１５は、樹脂系成型物からなる外装部（すなわち、筐体）１５１と、外装部１５１内に設けられた貯水槽と、外装部１５１内に設けられた電子基盤と、外装部内に設けられた延焼防止材と、外装部１５１の上側を覆う外装部上側カバー１５３と、を有する。延焼防止材は、タンク装置１５の内部に設けられているので、タンク装置１５の外側からは見えない構造となっている。また、外装部上側カバー１５３は、樹脂系成型物からなり、外装部１５１から取り外すことが可能となっている。
【００１９】
図３は、タンク装置１５の内側を模式的に示す平面図である。図３では、図２に示した外装部上側カバー１５３を外して、上方からタンク装置１５の内部を見た状態を示している。
図３に示すように、タンク装置１５の内部には、延焼防止材と、電子基盤１６１と、第１の貯水槽１７１と、第２の貯水槽１７２とが設けられている。例えば、第１の貯水槽１７１は常温の水を貯めるための槽であり、第２の貯水槽１７２は温水を貯めるための槽である。
【００２０】
また、図３に示すように、外装部１５１は、その前面側（すなわち、使用者の着座位置に面する側）に、前面側パネル１５２を有する。この前面側パネル１５２は樹脂系成型物である。前面側パネル１５２は、外装部１５１の他の部位と一体成型で形成されていてもよいし、外装部１５１の他の部位に対して着脱自在に取り付けられていてもよい。
【００２１】
そして、この前面側パネル１５２の裏面１５２ｂ側に、延焼防止材が取り付けられている。これにより、延焼防止材の一方の面側に電子基盤１６１が位置し、延焼防止材の他方の面側に樹脂系成型物である前面側パネル１５２が位置し、電子基盤１６１と前面側パネル１５２との間が延焼防止材で仕切られた構造となっている。なお、延焼防止材の前面側パネル１５２に対する取付方法は特に限定されないが、例えば、両面テープ、接着剤又はネジ等で取り付ける方法が挙げられる。
（２）タンクレス型の温水洗浄トイレ
【００２２】
図４は、本発明の実施形態に係るタンクレス型の温水洗浄トイレ２０の構成例を模式的に示す斜視図である。この温水洗浄トイレ２０は、延焼防止材を用いた電子機器の一例である。図４に示すように、この温水洗浄トイレ２０は、便器２１と、便器２１に取り付けられた便座装置２３と、を備える。
【００２３】
便座装置２３は、便座２３１と、この便座２３１を覆う便座カバー２３３と、便器２１の後方に配置され、便座２３１の内側から上方（例えば、便座に座った使用者）に向けて水や温水を噴射可能な噴射ノズルを内蔵した装置本体２３５と、この装置本体２３５の上側を覆う本体上側カバー２３７と、を有する。また、本体上側カバー２３７は、樹脂系成型物からなり、装置本体２３５から取り外すことが可能となっている。
【００２４】
装置本体２３５の内部には、噴射ノズルの動作等を制御する電子基盤と、延焼防止材とが配置されている。延焼防止材は、便座装置本体の内部に設けられているので、外部からは見えない構造となっている。
【００２５】
この温水洗浄トイレ２０において、延焼防止材は、本体上側カバー２３７の裏面に取り付けられている。そして、延焼防止材の一方の面側に電子基盤が位置し、延焼防止材の他方の面側に樹脂系成型物である本体上側カバー２３７が位置し、電子基盤と本体上側カバー２３７との間が延焼防止材で仕切られた構造となっている。なお、延焼防止材の本体上側カバー２３７に対する取付方法は特に限定されないが、例えば、両面テープ、接着剤又はネジ等で取り付ける方法が挙げられる。
【００２６】
＜実施形態の効果＞
本発明の実施形態に係る延焼防止材は、後述するＵＬ（Ｕｎｄｅｒｗｒｉｔｅｒｓ  Ｌａｂｏｒａｔｏｒｉｅｓ  Ｉｎｃ．）９４規格のＶ−０性能を有する。また、この延焼防止材は、熱伝導率が０．１Ｗ／ｍ・Ｋ以下であり、その厚みｔは０．１ｍｍ以上０．６ｍｍ以下である。このため、この延焼防止材を温水洗浄トイレに用いることにより、電子基盤が仮に発火した場合でも、その炎を延焼防止材で遮ると同時に、発火による熱が樹脂系成型物（例えば、図２及び図３に示した前面側パネル１５２、または、図４に示した本体上側カバー２３７など）に伝わりにくい性能を有する設計とすることができる。
【００２７】
また、この延焼防止材は折り曲げ易い性質であり、例えば、１８０°折り曲げても割れない折り曲げ性を有する。このため、例えば樹脂系成型物を曲面加工してスタイリッシュな形状とした場合でも、延焼防止材をそのスタイリッシュな形状（複雑な形状）に容易に追従させることができ、複雑な形状に容易に貼り付けることができる。また、この延焼防止材は、切削や穴あけ加工の際に特殊な成型機や刃物を選定する必要がなく、例えば、トムソン抜き型で容易に穴あけ加工できる加工性を有する。このため、延焼防止材は、複雑な形状に容易に加工することができる。
【００２８】
このように、本発明の実施形態によれば、折り曲げ易く、加工性に優れた延焼防止材及び、これを用いた温水洗浄トイレを提供することができる。なお、上記の実施形態では、延焼防止材が適用される電子機器として温水洗浄トイレを示したが、これはあくまで一例である。例えば、洗濯機やエクステリア用の照明器具など、耐水性と耐久性が要求される電子機器に延焼防止材を用いてもよい。
【実施例１】
【００２９】
＜実施例＞
（１）実施例１
温水洗浄トイレに搭載されている電子基盤を保護する不燃材（以下、「保護不燃材」という。）として、実施形態で説明した延焼防止材（図１参照）を用意した。以下において、実施例１に係る延焼防止材を「延焼防止材１」という。次に、トムソン抜き型を用いて、延焼防止材１をＢ４サイズ（３６４ｍｍ×５１５ｍｍ）に型抜きした。その後、このＢ４サイズの延焼防止材１を、電子基盤からの熱を遮るように温水洗浄トイレの外装部の内側面（裏面）に貼り付けた。なお、温水洗浄トイレの外装部はＡＢＳ樹脂製である。また、外装部の内側面への延焼防止材１の貼り付けは、両面テープで行った。
【００３０】
本実施形態に係る延焼防止材１は、ＵＬ（Ｕｎｄｅｒｗｒｉｔｅｒｓ  Ｌａｂｏｒａｔｏｒｉｅｓ  Ｉｎｃ．）９４規格のＶ−０性能を有する。また、延焼防止材１は、熱伝導率が０．０６６Ｗ／ｍ・Ｋであり、厚さは０．３１ｍｍ、坪量は２３０ｇ／ｍ２である。このため、延焼防止材１を用いた温水洗浄トイレは、電子基盤が仮に発火した場合でも、その炎を延焼防止材１で遮ると同時に、発火による熱がＡＢＳ樹脂製の外装部に伝わりにくい性能を有する設計となった。
【００３１】
また、延焼防止材１は折り曲げ易い性質のため、ＡＢＳ樹脂を曲面加工したスタイリッシュな形状にも容易に追従して貼り付けることができた。
【００３２】
（２）実施例２
温水洗浄トイレに搭載されている電子基盤の保護不燃材として、実施例１に係る延焼防止材１と厚さと坪量が異なる延焼防止材２を用意した。延焼防止材２の厚さは０．２５ｍｍ、坪量は１８０ｇ／ｍ２である。
次に、トムソン抜き型を用いて、延焼防止材２をＢ４サイズ（３６４ｍｍ×５１５ｍｍ）に型抜きした。その後、このＢ４サイズの延焼防止材２を、電子基盤からの熱を遮るように温水洗浄トイレの外装部の内側面に貼り付けた。なお、温水洗浄トイレの外装部はＡＢＳ樹脂製である。また、外装部の内側面への延焼防止材２の貼り付けは、両面テープで行った。
【００３３】
この実施例２に係る延焼防止材２は、ＵＬ９４規格のＶ−０性能を有する。また、延焼防止材２は、熱伝導率が０．０６６Ｗ／ｍ・Ｋであり、上記したように、厚さは０．２５ｍｍ、坪量は１８０ｇ／ｍ２である。このため、延焼防止材２を用いた温水洗浄トイレは、電子基盤が仮に発火した場合でも、その炎を延焼防止材２で遮ることができる。
＜比較例＞
【００３４】
（１）比較例１
温水洗浄トイレに搭載されている電子基盤の保護不燃材として、マイカ材料（０．３８ｍｍ）を用意した。次に、油圧プレスまたはＮＣ切削機により、このマイカ材料をＢ４サイズ（３６４ｍｍ×５１５ｍｍ）にくり貫いた。その後、このＢ４サイズのマイカ材料を、電子基盤からの熱を遮るように温水洗浄トイレの外装部の内側面に貼り付けて、保護不燃材とした。なお、外装部はＡＢＳ樹脂製である。
【００３５】
この比較例１に係るマイカ材料は、ＵＬ９４規格のＶ−０性能を有する。また、このマイカ材料は、熱伝導率が０．０７４Ｗ／ｍ・Ｋである。このため、このマイカ材料を用いた温水洗浄トイレは、電子基盤が仮に発火した場合でも、その炎をマイカ材料で遮ると同時に、発火による熱がＡＢＳ樹脂製の外装部に伝わりにくい性能を有する設計となった。
【００３６】
但し、マイカ材料は割れやすい性質のため、ＡＢＳ樹脂を曲面加工したスタイリッシュな形状に追従して貼り付けることは困難である。このため、温水洗浄トイレの外装部の形状に制約が生じた。また、マイカ材料は取り付け時や搬送時に割れてしまうケースがあり、その取り扱いが困難であった。
【００３７】
（２）比較例２
温水洗浄トイレに搭載されている電子基盤の保護不燃材として、鉄板材料（０．５ｍｍ）を用意した。次に、油圧プレスまたはＮＣ切削機により、この鉄板材料をＢ４サイズ（３６４ｍｍ×５１５ｍｍ）にくり貫いた。その後、このＢ４サイズの鉄板材料を、電子基盤からの熱を遮るように温水洗浄トイレの外装部の内側面に貼り付けて、保護不燃材とした。なお、外装部はＡＢＳ樹脂製である。
【００３８】
この比較例２に係る鉄板材料は、ＵＬ９４規格のＶ−０性能を有するが、熱伝導率は８３．５Ｗ／ｍ・Ｋと非常に大きい。このため、この鉄板材料を用いた温水洗浄トイレは、電子基盤が仮に発火した場合には、その炎を鉄板材料で遮ることはできるが、電子基盤の発火による熱がＡＢＳ樹脂製の外装部に伝わりやすく、外装部が発火する可能性がある。したがって、比較例２では、ＡＢＳ樹脂製の外装部と鉄板材料との間にガラスウール等の断熱材を入れないと、製品化は困難であった。
【００３９】
＜ＵＬ９４規格＞
ＵＬ９４規格は、試料の燃えにくさの度合いを表す規格であり、以下の試験を行って難燃性が判定される。
（試験方法）
鉛直に保持した試料の下端に１０秒間ガスバーナーの炎を接炎させる（１回目の接炎）。１回目の接炎後、燃焼が止まったら、さらに１０秒間接炎させる（２回目の接炎）。
（判定基準）
Ｖ−０性能を有すると判定されるためには、以下に示す基準を全て満たすことが必要となる。
・いずれの接炎の後も、１０秒以上燃焼を続ける試料がないこと。
・５個の試料に対する１０回の接炎に対する総燃焼時間が５０秒を超えないこと。
・試料を固定する固定用クランプの位置まで燃焼する試料がないこと。
・試料の下方に置かれた綿を発火させる、燃焼する粒子を落下させる試料がないこと。
・２回目の接炎の後、３０秒以上赤熱を続ける試料がないこと。
【符号の説明】
【００４０】
１  延焼防止材
１０、２０  温水洗浄トイレ
１１、２１  便器
１３、２３  便座装置
１５  タンク装置
１３１、２３３  便座カバー
１３３、２３５  装置本体
１５１  外装部
１５２  前面側パネル
１５２ｂ  裏面
１５３  外装部上側カバー
１６１  電子基盤
１７１  第１の貯水槽
１７２  第２の貯水槽
２３１  便座
２３７  本体上側カバー
【図１】
0006744111.tif 000002
【図２】
0006744111.tif 000003
【図３】
0006744111.tif 000004
【図４】
0006744111.tif 000005